(57)【要約】【課題】従来の巻き尺ではウエストサイズを測り難く、正確な測定が出来ない。【解決手段】屈曲自在なフレキシブルな巻き尺のゼロ目盛の端部にゼロ目盛基準板が固定され、巻き尺の中間には目盛読取板が巻き尺に対してスライド自在に取り付けられ、前記目盛読取板は中央部に巻き尺の目盛および数字を表示する目盛表示部が設けられ、前記目盛表示部に目盛読み取り基準線が設けられ、前記巻き尺は目盛表示部の左右に設けた通孔を通して目盛表示部の背面においてスライド自在となっており、前記ゼロ目盛基準板の表面および前記目盛読取板の裏面には、それぞれ所要部分に面ファスナーが取り付けられ、前記ゼロ目盛基準板と目盛読取板は両者を位置決めして重ね合わせたときに、ゼロ目盛基準板のゼロ目盛と目盛読取板の目盛読み取り基準線が合致するように両者の位置関係が設定されている身体計測用メジャー。【選択図】図１
0003127490.tif 000002
【実用新案登録請求の範囲】
【請求項１】
屈曲自在なフレキシブルな巻き尺のゼロ目盛の端部にゼロ目盛基準板が固定され、巻き尺の中間には目盛読取板が巻き尺に対してスライド自在に取り付けられ、前記目盛読取板は中央部に巻き尺の目盛および数字を表示する目盛表示部が設けられ、前記目盛表示部に目盛読み取り基準線が設けられ、前記巻き尺は目盛表示部の左右に設けた通孔を通して目盛表示部の背面においてスライド自在となっており、前記ゼロ目盛基準板の表面および前記目盛読取板の裏面には、それぞれ所要部分に面ファスナーが取り付けられ、前記ゼロ目盛基準板と目盛読取板は両者を位置決めして重ね合わせたときに、ゼロ目盛基準板のゼロ目盛と目盛読取板の目盛読み取り基準線が合致するように両者の位置関係が設定されていることを特徴とする身体計測用メジャー。
【考案の詳細な説明】
【技術分野】
【０００１】  本考案は、主としてウエストサイズや胸囲等の身体サイズを測るためのメジャーに関するものである。
【背景技術】
【０００２】  従来、ウエストサイズ等の身体サイズを測るメジャーとして、柔軟な帯状布に目盛を印刷した巻き尺などが知られている。
【考案の開示】
【考案が解決しようとする課題】
【０００３】
【０００４】  巻き尺で自分のウエストサイズや胸囲を自分で測ろうとする場合、各身体部位に巻き付けた巻き尺のゼロ目盛の端部を巻き尺の中間にあてがい、そのまま自分でゼロ目盛に一致する数値を読み取るか、ゼロ目盛に一致する巻き尺部分を指で押さえておいて、身体部位から巻き尺をはずして指で押さえた目盛を読み取るようにしているが、ゼロ目盛の端部を巻き尺に当てがった状態で目盛を読むのは非常に読みにくく、また身体部位から巻き尺をはずして指で押さえた目盛を読み取るのでは測定結果が不正確になりがちであるという問題があった。
【課題を解決するための手段】
【０００５】  本考案は、屈曲自在なフレキシブルな巻き尺のゼロ目盛の端部にゼロ目盛基準板が固定され、巻き尺の中間には目盛読取板が巻き尺に対してスライド自在に取り付けられ、前記目盛読取板は中央部に巻き尺の目盛および数字を表示する目盛表示部が設けられ、前記目盛表示部に目盛読み取り基準線が設けられ、前記巻き尺は目盛表示部の左右に設けた通孔を通して目盛表示部の背面においてスライド自在となっており、前記ゼロ目盛基準板の表面および前記目盛読取板の裏面には、それぞれ所要部分に面ファスナーが取り付けられ、前記ゼロ目盛基準板と目盛読取板は両者を位置決めして重ね合わせたときに、ゼロ目盛基準板のゼロ目盛と目盛読取板の目盛読み取り基準線が合致するように両者の位置関係が設定されていることを最も主要な特徴とする。
【考案の効果】
【０００６】  巻き尺をウエスト等の身体部位から外した状態で容易かつ確実に、しかも正確にウエストや胸などの身体部位のサイズを計測することができる。
【考案を実施するための最良の形態】
【０００７】  ウエストサイズや胸囲を容易かつ確実に、しかも正確に計測するという目的を、巻き尺のゼロ目盛端部にゼロ目盛基準板を取り付け、巻き尺の中間部に目盛読取板をスライド自在に取り付けることで実現した。
【実施例１】
【０００８】  図１に示すように、屈曲自在なフレキシブルな巻き尺１のゼロ目盛の端部に、円形、四角形、菱形等の所定形状のゼロ目盛基準板２が固定され、また巻き尺１の中間には円形、四角形等の所定形状の目盛読取板３が巻き尺１に対してスライド自在に取り付けられている。【０００９】  目盛読取板３は合成樹脂板からなり、その中央部分には巻き尺１の目盛および数字を表示する目盛表示部４が設けられ、この目盛表示部４に目盛読み取り基準線５が設けられている。【００１０】  巻き尺１は目盛表示部４の左右に設けた通孔６，６’を通して目盛表示部４の背面においてスライド自在となっており、その目盛は目盛表示部４から視認出来るようになっている。【００１１】  通孔６，６’は目盛表示部４の左右に２個並列して設け、これに巻き尺１をスライド自在に通すことにより、目盛読取板３において巻き尺１を容易にスライドしないように安定して保持させることができる。【００１２】  ゼロ目盛基準板２の表面および目盛読取板３の裏面には、それぞれ所要部分に面ファスナー７および７’が取り付けられ、ゼロ目盛基準板２を目盛読取板３を互いに表裏面で重ね合わせることにより着脱自在に止着されるようになっている。【００１３】  ゼロ目盛基準板２と目盛読取板３は、両者を重ね合わせたときにその全体又は一部の形状が互いに合致した場合（例えば、ゼロ目盛基準板２と目盛読取板３のいずれか一方の前端縁と他方の後端縁が一致した場合、両者に設けた同形状の凹部または凸部が一致した場合）等、互いに一定位置に位置決めされて止着されたときに、ゼロ目盛基準板２のゼロ目盛と目盛読取板３の目盛読み取り基準線５が合致するように両者の位置関係が設定されている（図２参照）。【００１４】  図３および図４は、ゼロ目盛基準板２と目盛読取板３の形状を菱形とした実施例を示したもので、両者の尖った角部を合致させることにより、ゼロ目盛基準板２のゼロ目盛と目盛読取板３の目盛読み取り基準線５とを合致させることができる。【００１５】  要するに、ゼロ目盛基準板２と目盛読取板３の形状が必ずしも同形状でなくても、両者に設けた突起や凹溝などの一部形状や端縁が一致するとき、ゼロ目盛基準板２のゼロ目盛と目盛読取板３の目盛読み取り基準線５が合致するように構成すればよい。【００１６】  以上の構成において、例えばウエストサイズを測定する場合には、ゼロ目盛基準板２と目盛読取板３をそれぞれ左右の手に持って巻き尺１を背部から腹部にかけて巻き付け、ゼロ目盛基準板２と目盛読取板３とを一定位置に位置決めして止着し、この状態で巻き尺１をウエスト回りにぴったり巻き付くように目盛読取板３の目盛表示部４を通して引き締める。【００１７】  この状態で目盛読取板３をゼロ目盛基準板２から剥離し、巻き尺１をウエスト回りから外した状態で目盛表示部４において目盛読み取り基準線５に合致した目盛を読み取ることにより、容易かつ確実に、しかも正確にウエストサイズを計測することが出来る。【００１８】  胸囲の測定なども身体部位が違うだけで、上記と同様に計測できる。
【産業上の利用可能性】
【００１９】  巻き尺としての商品販売の他、景品等にも利用することができる。
【図面の簡単な説明】
【００２０】
【図１】この考案のメジャーの主要部を示す正面図である。
【図２】この考案のメジャーの使用状態を示す正面図である。
【図３】この考案に係るゼロ目盛基準板の他の態様を示す正面図である。
【図４】この考案に係る目盛読取板の他の態様を示す正面図である。
【符号の説明】
【００２１】  １    巻き尺
２    ゼロ目盛基準板
３    目盛読取板
４    目盛表示部
５    目盛読み取り基準線
６    通孔
６’  通孔
７    面ファスナー
７’  面ファスナー
【図１】
0003127490.tif 000003
【図２】
0003127490.tif 000004
【図３】
0003127490.tif 000005
【図４】
0003127490.tif 000006